(57)【要約】【課題】従来の技術による諸問題を解決するため、施錠状態でベルトを固定することができるのみならず、ベルトを容易に差し込めるようにするケーブルロックを提供する。【解決手段】ケーブルロックは、一端に差込具が設けられ、自由に曲げられるベルトと、ベルトを通すための貫通孔と、外拡する口を有して差込具を収容する差込スロットとを含む本体と、軸部の移動を制限する複数のダイヤル盤と、軸方向に移動できる軸部と、軸部を一定位置に支える弾力体と、軸部の縁から突き出て斜面と突起を有する錠栓とを含むダイヤルシリンダーと、第一押圧部と差込スロットに突き出る係止柱とを有し、係止柱を差込スロットに突き出て差込具を係止するように支える第一弾力体と接する第一留め具と、第二押圧部と、押付部と、凹部とを有する第二留め具とを含む。【選択図】図１
0003111785.tif 000002
【実用新案登録請求の範囲】
【請求項１】
一端に差込具が設けられ、自由に曲げられるベルトと、
ベルトを通すための貫通孔と、外拡する口を有して差込具を収容する差込スロットとを含み、よってベルトとともに閉鎖的な輪を形成する本体と、
本体に設けられて軸部の移動を制限する複数のダイヤル盤と、軸方向に移動できる軸部と、軸部を一定位置に支える弾力体と、軸部の縁から突き出て斜面と突起を有する錠栓とを含むダイヤルシリンダーと、
本体に設けられて第一押圧部と差込スロットに突き出る係止柱とを含み、係止柱を差込スロットに突き出て差込具を係止するように支える第一弾力体と接する第一留め具と、
本体に設けられて第二押圧部と、押付部と、凹部とを含み、第二弾力体と接する第二留め具とを含み、
第一押圧部を押せば、第一留め具は差込具に対する係止柱の係止が解除される位置に押され、更に錠栓の斜面を介して錠栓と軸部を軸方向に連動させ、
第二押圧部を押せば、第二留め具は押付部が貫通孔内のベルトを押し付ける位置に押され、よって錠栓の突起は凹部をはめ込み、
第一留め具を移動して錠栓の突起と凹部とのはめ込みを解除すれば、第二留め具は第二弾力体によってベルトをはずす位置に押される構成としたことを特徴とするケーブルロック。
【請求項２】
前記差込具には係止柱に対応する孔が設けられ、差込具は係止柱を軸として本体に相対的に回転することができることを特徴とする請求項１記載のケーブルロック。
【請求項３】
前記係止柱は斜面を有し、差込具を差込スロットに差し込めば斜面を押しのけ、係止柱を差込具が差込スロットに入れるような位置に押されることを特徴とする請求項２記載のケーブルロック。
【請求項４】
前記差込具は、係止柱の斜面に接する斜面を有することを特徴とする請求項３記載のケーブルロック。
【請求項５】
前記第一留め具は、錠栓の斜面に接する斜面を有することを特徴とする請求項１記載のケーブルロック。
【請求項６】
前記本体には、第二留め具と連動して貫通孔内のベルトを押し付ける押付具が設けられることを特徴とする請求項１記載のケーブルロック。
【請求項７】
前記突起は第二留め具に接する斜面を有することを特徴とする請求項１記載のケーブルロック。
【請求項８】
前記ベルトのその他の一端には、固定物体に巻きつけるためのループが設けられることを特徴とする請求項１記載のケーブルロック。
【請求項９】
前記押付部は第二留め具とベルトとの間の摩擦力を増加させる粗い表面であることを特徴とする請求項１記載のケーブルロック。
【請求項１０】
前記本体の貫通孔には、第二留め具に押し付けられて変形するベルトを収容する凹部が設けられることを特徴とする請求項１記載のケーブルロック。
【請求項１１】
一端に差込具が設けられ、自由に曲げられるベルトと、
ベルトを通すための貫通孔と、外拡する口を有して差込具を収容する差込スロットとを含み、よってベルトとともに閉鎖的な輪を形成する本体と、
本体に設けられて押圧部と差込スロットに突き出る係止柱とを含み、係止柱を差込スロットに突き出て差込具を係止するように支える第三弾力体と接する第三留め具と、
本体に設けられて押付部と、食い止め部と、長穴とを有する第四留め具と、
本体に設けられ、長穴に収容される偏心軸が一端に設けられるキーシリンダーとを含み、
鍵を差し込んで回転すれば、キーシリンダーを、
第四留め具が偏心軸と連動し、押付部が貫通孔内のベルトを押しつけ、更に食い止め部は第三留め具が差込具に対する係止を解除できないように食い止める位置に移動する施錠状態とし、
第四留め具が偏心軸と連動し、押付部による貫通孔内のベルトに対する押しつけを解除し、更に食い止め部による第三留め具に対する食い止めを解除する解錠状態にすることができる構成としたことを特徴とするケーブルロック。
【請求項１２】
前記差込具には係止柱に対応する孔が設けられ、差込具は係止柱を軸として本体に相対的に回転することができることを特徴とする請求項１１記載のケーブルロック。
【請求項１３】
前記係止柱は斜面を有し、差込具を差込スロットに差し込めば斜面を押しのけ、係止柱を差込具が差込スロットに入れるような位置に押されることを特徴とする請求項１２記載のケーブルロック。
【請求項１４】
前記差込具は、係止柱の斜面に接する斜面を有することを特徴とする請求項１３記載のケーブルロック。
【請求項１５】
前記ベルトのその他の一端には、固定物体に巻きつけるためのループが設けられることを特徴とする請求項１１記載のケーブルロック。
【請求項１６】
前記押付部は第四留め具とベルトとの間の摩擦力を増加させる粗い表面であることを特徴とする請求項１１記載のケーブルロック。
【請求項１７】
前記本体の貫通孔には、第四留め具に押し付けられて変形するベルトを収容する凹部が設けられることを特徴とする請求項１１記載のケーブルロック。
【考案の詳細な説明】
【技術分野】
【０００１】
この考案はケーブルロックに関し、特に施錠状態でベルトの収束を制限し、差込具の差し込みを容易にするケーブルロックに関する。
【背景技術】
【０００２】
アメリカ合衆国特許第6,470,718号はベルトと錠本体からなるケーブルロックを掲げており、そのうちベルトは錠本体を突き通して閉鎖的な輪を形成する。その輪を対象物体に巻きつけ、物体を離脱させないように収束し、更に錠前をかけることによって、対象物体を固定することができる。
【０００３】
しかし、前記特許によるケーブルロックでは、錠前をかけた後でもベルトを更に収束することができる。言い換えれば、施錠状態では前記閉鎖的な輪が固定されない。したがって前記特許によるケーブルロックを対象物体にかける場合、ベルトを不注意に収束すれば、対象物体に傷を残す可能性があり、特に対象物体が貴重品である場合では大きな損害をもたらしかねない。この点は前記特許の潜在的な欠点である。
【０００４】
なお、前記特許では、閉鎖的な輪を形成するためにベルトを錠本体にある貫通孔に通す場合、ベルトのヘッドを貫通孔にぴったり沿うように差し込めなければならない。このような操作は使用者にとって実に不便である。
【考案の開示】
【考案が解決しようとする課題】
【０００５】
この考案は従来の技術による問題を解決するため、施錠状態でベルトを固定することができるのみならず、ベルトを容易に差し込めるようにするケーブルロックを提供することを課題とする。
【課題を解決するための手段】
【０００６】
この考案によるケーブルロックは、一端に差込具が設けられ、自由に曲げられるベルトと、ベルトを通すための貫通孔と、外拡する口を有して差込具を収容する差込スロットとを含み、よってベルトとともに閉鎖的な輪を形成する本体と、本体に設けられて軸部の移動を制限する複数のダイヤル盤と、軸方向に移動できる軸部と、軸部を一定位置に支える弾力体と、軸部の縁から突き出て斜面と突起を有する錠栓とを含むダイヤルシリンダーと、本体に設けられて第一押圧部と差込スロットに突き出る係止柱とを含み、係止柱を差込スロットに突き出て差込具を係止するように支える第一弾力体と接する第一留め具と、本体に設けられて第二押圧部と、押付部と、凹部とを含み、第二弾力体と接する第二留め具とを含む。そのうち第一押圧部を押せば、第一留め具は差込具に対する係止柱の係止が解除される位置に押され、更に錠栓の斜面を介して錠栓と軸部を軸方向に連動させる。なお、第二押圧部を押せば、第二留め具は押付部が貫通孔内のベルトを押し付ける位置に押され、よって錠栓の突起は凹部をはめ込む。更に、第一留め具を移動して錠栓の突起と凹部とのはめ込みを解除すれば、第二留め具は第二弾力体によってベルトをはずす位置に押される。
【０００７】
この考案は更にケーブルロックを提供する。該ケーブルロックは、一端に差込具が設けられ、自由に曲げられるベルトと、ベルトを通すための貫通孔と、外拡する口を有して差込具を収容する差込スロットとを含み、よってベルトとともに閉鎖的な輪を形成する本体と、本体に設けられて押圧部と差込スロットに突き出る係止柱とを含み、係止柱を差込スロットに突き出て差込具を係止するように支える第三弾力体と接する第三留め具と、本体に設けられて押付部と、食い止め部と、長穴とを有する第四留め具と、本体に設けられ、長穴に収容される偏心軸が一端に設けられるキーシリンダーとを含む。そのうち鍵を差し込んで回転すれば、キーシリンダーを、（ａ）第四留め具が偏心軸と連動し、押付部が貫通孔内のベルトを押しつけ、更に食い止め部は第三留め具が差込具に対する係止を解除できないように食い止める位置に移動する施錠状態、または（ｂ）第四留め具が偏心軸と連動し、押付部による貫通孔内のベルトに対する押しつけを解除し、更に食い止め部による第三留め具に対する食い止めを解除する解錠状態にすることができる。
【考案の効果】
【０００８】
この考案によるケーブルロックは施錠状態において錠本体とベルトからなる閉鎖的な輪を固定することができる。のみならず、この考案によるケーブルロックは外拡するスロット口を備え、ベルトの差し込みを容易にする。
【考案を実施するための最良の形態】
【０００９】
かかる装置の特徴を詳述するために、具体的な実施例を挙げ、図示を参照にして以下に説明する。
【実施例１】
【００１０】
図１から図３を参照する。この考案によるケーブルロック１０はベルト１２と、本体１４と、ベルト１２に設けられるダイヤルシリンダー１６と、第一留め具１８と、第二留め具２０とを含む。
【００１１】
ベルト１２は長さが任意であり自由に曲げられるケーブルなどであり、その一端に差込具１２２が設けられ、その他の一端に固定物体に巻きつけるためのループ１２４が設けられる。本体１４は複数の筐体からなり、その一側にはベルト１２を通すための貫通孔１４２が設けられ、その他の一側には差込具１２２を受け入れる差込スロット１４４が設けられる。ベルト１２と本体１４は閉鎖的な輪Ｌを形成することができる。
【００１２】
図によれば、ダイヤルシリンダー１６は本体１４に設けられ、複数のダイヤル盤１６２と、軸方向に変位できる軸部１６４と、弾力体１６６とを含む。そのうちダイヤル盤１６２は本体１４外に露出し、軸部１６４の移動可否を決める。一般状態では弾力体１６６は軸部１６４を一定位置に支える。なお、軸部１６４の端部には斜面１６８２と突起１６８４を有する錠栓１６８が設けられる。ダイヤルシリンダー１６は従来の技術によるものであるため、ここでその説明を省略する。
【００１３】
第一留め具１８は本体１４に設けられ、本体１４にある孔１４６に対応する第一押圧部１８２と、差込スロット１４４に突き出る係止柱１８４を含む。第一留め具１８には第一弾力体１８６が設けられ、第一弾力体１８６は第一押圧部１８２を孔１４６に突き出るように支え、同時に係止柱１８４を差込スロット１４４に突き出て差込具１２２を係止できるように支える。第一押圧部１８２を押せば、係止柱１８４は差込具１２２を係止できない位置にへこみ、同時に錠栓１６８の斜面１６８２を押して錠栓１６８と軸部１６４を連動させる。第一留め具１８は更に錠栓１６８の斜面１６８２と接する斜面を有する。
【００１４】
第二留め具２０は本体１４に設けられ、本体１４のその他の孔１４８に対応する第二押圧部２０２と、貫通孔内にあるベルト１２を押し付ける押付部２０４と、凹部２０６とを含む。第二留め具２０には第二弾力体２０８が設けられ、第二弾力体２０８は第二押圧部２０２を孔１４８に突き出るように支え、同時に押付部２０４をベルト１２を押し付けない位置に支える。第二押圧部２０２を押せば、押付部２０４は貫通孔内にあるベルト１２を押し付け、同時に凹部１６８は錠栓１６８の突起１６８４とぴったり合わせて錠栓１６８の位置を固定する。
【００１５】
図４と図５を参照する。実際の操作では、ダイヤルシリンダー１６のダイヤル盤１６２を解錠位置にダイヤルして錠栓１６８とその軸部１６４が自由に移動できるようにし、ベルト１２を対象物体（図示されない）に巻きつける。この場合、第一押圧部１８２を押して係止柱１８４を差込スロット１４４に突き出ないようにさせ、続いてベルト１２の差込具１２２を差込スロット１４４に差し込み、更に第一押圧部１８２に対する押圧を解除すると、係止柱１８４は第一弾力体１８６に押されて差込具１２２の孔１２２２を通し、差込具１２２は係止されるようになる。
【００１６】
以上の通り、前記の係止柱１８４はベルトの差込具１２２を係止するものである。なお、第一押圧部１８２を押す以外、差込具１２２を直接に差込スロット１４４に差し込んでも係止される。この場合では、差込スロット１４４に差し込まれる差込具１２２はまず係止柱１８４の斜面１８４２を介して係止柱１８４を押しのけ、続いて係止柱１８４は第一弾力体１８６によって元来の位置に復帰して差込具１２２の孔１２２２にはめ込んで差込具１２２を係止する。付け加えて、差込具１２２に係止柱１８４の斜面１８４２に対応する斜面１２２４を設けることも可能である。
【００１７】
本体１４の差込スロット１４４は差込具１２２の差込動作を容易にするための外拡するスロット口１４４２を備える。なお、差込具１２２を係止した後、係止柱１８４を軸として差込具１２２を回転することができる。こうしてケーブルロックの便利性はより一層向上される。
【００１８】
差込具１２２を差し込んだ後でも、ベルト１２を収束することは依然として可能である。収束度合が決まれば、第二留め具２０の第二押圧部２０２を押すと、押付部２０４が連動して貫通孔１４２内のベルト１２を押し付け、ベルト１２は移動できなくなる。続いてダイヤルシリンダー１６のダイヤル盤１６２で施錠すれば、軸部１６４は移動できなくなり、同時に第一留め具１８と第二留め具２０の移動は制限される。この場合、ダイヤルシリンダー１６２で解錠して第一留め具１８と第二留め具２０に対する移動制限を解除する前に、差込具１２２をはずすかベルト１２を収束することが不可能である。
【００１９】
以上の通り、この考案による第二留め具２０は押付部２０４でベルト１２を押し付けることによって、ベルト１２の収束を制限する。ベルト１２を固定するにはいくつかの設計が掲げられる。
【００２０】
まず貫通孔１４２に、ベルト１２が押し付けられて変形する部分を収容する凹部１４２２を設けることが可能である。こうして第二留め具２０がベルト１２に対する固定力は強化される。
【００２１】
または図８に示される通りに、第二留め具２０の押付部２０４に粗い表面または滑り止めを形成し、押付部２０４とベルト１２との間の摩擦力を増加させることによって第二留め具２０がベルト１２に対する固定力を強化する。
【００２２】
または図９に示される通りに、第二留め具２０と連動してベルト１２を固定する押付具２２を取り付けることも可能である。
【００２３】
図１０はこの考案によるケーブルロックでモニター３０をテーブル３２に固定する状態を示す。ケーブルロック１０のループ１２４をテーブルの脚３２２に巻きつけ、ベルト１２をモニター３０のネック３０２に巻いて差込具１２２を本体１４の差込スロット１４４に差し込む。続いてベルトを適切に収束し、第二留め具２０を押してベルト１２を移動しないようにさせ、最後にダイヤル盤１６２で施錠すれば、モニター３０をテーブル３２に固定することができる。
【００２４】
図１１はこの考案によるケーブルロックのその他の使用方法を例示する。図によれば、ベルト１２はゴルフキャディーバッグ本体４０のベルト通し４２を通してバッグ本体４０に巻きつく。解錠状態でベルト１２を収束するとともにバッグ口４４は同時に収束され、バッグ口４４が完全に閉まればまた施錠する。もっともこの場合、更にループ１２４を固体物体に巻きつけ、バッグを物体に固定することも可能である。
【実施例２】
【００２５】
図１２と図１３を参照する。この考案の実施例２によるケーブルロックはダイヤルシリンダー１６の代わりにキーシリンダー５６を使用する。図によれば、ケーブルロック５０はベルト５２と、本体５４と、キーシリンダー５６と、第三留め具５８と、第四留め具６０とを含む。
【００２６】
ベルト５２は長さが任意であり自由に曲げられるケーブルなどであり、その一端に差込具５２２が設けられ、その他の一端に固定物体に巻きつけるためのループ１２４が設けられる。本体５４は複数の筐体からなり、その一側にはベルト５２を通すための貫通孔５４２が設けられ、その他の一側には差込具５２２を受け入れる差込スロット５４４が設けられる。ベルト５２と本体５４は閉鎖的な輪Ｌを形成することができる。ベルト５２と本体５４の組み合わせは実施例１と同じであり、ここでその説明を省略する。
【００２７】
キーシリンダー５６は本体５４に設けられ、本体５４から露出して鍵５６４と対応する鍵穴５６２を有する。鍵５６４は施解錠状態を決めるものである。キーシリンダー５６のその他の一端には第四留め具６０を連動させる偏心軸５６６が設けられる。
【００２８】
第三留め具５８は本体５４に設けられ、押圧部５８２と、差込スロット５４４に突き出る係止柱５８４を含む。第三留め具５８には第三弾力体５８６が設けられ、第三弾力体５８６は係止柱５８４を差込具５２２を係止できるように支える。押圧部５８２を押せば、係止柱５８４は差込具５２２を係止できない位置にへこむ。
【００２９】
第四留め具６０は本体５４に設けられ、押付部６０２と、食い止め部６０４と、偏心軸５６６を収容する長穴６０６を含む。
【００３０】
図１４を参照する。実際の操作では、鍵５６４をキーシリンダー５６差し込んで回して施錠すれば、偏心軸５６６と第四留め具６０は連動し、押付部６０２が貫通孔５４２内のベルト５２を押し付け、同時に食い止め部６０４は第三留め具５８が差込具５２２をはずせないように第三留め具５８を食い止める位置に移動する。
【００３１】
図１５によれば、鍵５６４を回して解錠すれば、第四留め具６０と偏心軸５６６はもとの位置に連動し、押付部６０２はベルト５２をはずし、食い止め部６０４は第三留め具５８を食い止める位置からもとの位置に移動する。
【００３２】
以上の通り、施錠状態では、第四留め具６０は押付部６０２で貫通孔５４２内のベルト５２を押し付けることによって、ベルト５２の収束を制限する。
【００３３】
第四留め具６０のベルト５２に対する収束制限を更に強化するため、実施例１のように押付部に粗い表面または滑り止めを形成するか、または貫通孔５４２に凹部５４２２を設けることはいずれも可能である。
【００３４】
以上はこの考案に好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録の範囲に属するものとする。
【産業上の利用可能性】
【００３５】
この考案によるケーブルロックは施錠状態において錠本体とベルトからなる閉鎖的な輪を固定することができる。のみならず、この考案によるケーブルロックは外拡するスロット口を備え、ベルトの差し込みを容易にする。
【図面の簡単な説明】
【００３６】
【図１】この考案によるケーブルロックの外観を表す説明図である。
【図２】この考案によるケーブルロックの構造を表す第一組立図である。
【図３】この考案によるケーブルロックの構造を表す第二組立図である。
【図４】この考案によるケーブルロックの操作を表す第一説明図である。
【図５】この考案によるケーブルロックの操作を表す第二説明図である。
【図６】この考案によるケーブルロックの一部構造を表す第一説明図である。
【図７】この考案によるケーブルロックの一部構造を表す第二説明図である。
【図８】この考案による第二留め具を表す説明図である。
【図９】この考案によるケーブルロックの第一使用例を表す説明図である。
【図１０】この考案によるケーブルロックの第二使用例を表す説明図である。
【図１１】この考案によるケーブルロックの第三使用例を表す説明図である。
【図１２】この考案の実施例２によるケーブルロックを表す説明図である。
【図１３】この考案の実施例２によるケーブルロックを表す組立図である。
【図１４】この考案の実施例２によるケーブルロックの操作を表す第一説明図である。
【図１５】この考案の実施例２によるケーブルロックの操作を表す第二説明図である。
【符号の説明】
【００３７】
１０、５０                    ケーブルロック
１２、５２                    ベルト
１４、５４                    本体
１６                          ダイヤルシリンダー
１８                          第一留め具
２０                          第二留め具
２２                          押付具
３０                          モニター
３２                          テーブル
４０                        ゴルフキャディーバッグ
４２                        ベルト通し
４４                        バッグ口
５６                        キーシリンダー
５８                        第三留め具
６０                        第四留め具
１２２、５２２              差込具
１２４                      ループ
１４２、５４２              貫通孔
１４４、５４４              差込スロット
１４６、１４８、１２２２    孔
１６２                      ダイヤル盤
１６４                      軸部
１６６                      弾力体
１６８                      錠栓
１８２                      第一押圧部
１８４、５８４              係止柱
１８６                      第一弾力体
２０２                      第二押圧部
２０４、６０２              押付部
２０６、１４２２、５４２２  凹部
２０８                      第二弾力体
３０２                      ネック
３２２                      脚
５６２                      鍵穴
５６４                      鍵
５６６                      偏心軸
５８２                      押圧部
５８６                      第三弾力体
６０４                      食い止め部
６０６                      長穴
１４４２                    スロット口
１６８２、１８４２          斜面
１６８４                    突起
【図１】
0003111785.tif 000003
【図２】
0003111785.tif 000004
【図３】
0003111785.tif 000005
【図４】
0003111785.tif 000006
【図５】
0003111785.tif 000007
【図６】
0003111785.tif 000008
【図７】
0003111785.tif 000009
【図８】
0003111785.tif 000010
【図９】
0003111785.tif 000011
【図１０】
0003111785.tif 000012
【図１１】
0003111785.tif 000013
【図１２】
0003111785.tif 000014
【図１３】
0003111785.tif 000015
【図１４】
0003111785.tif 000016
【図１５】
0003111785.tif 000017